【事件の表示】
　特願２００８−３３５０５８「移動通信方法、無線アクセス装置及びゲートウェイ装置」拒絶査定不服審判事件〔平成２２年　７月１５日出願公開、特開２０１０−１５７９０８〕について、次のとおり審決する。
【結　論】
　本件審判の請求は、成り立たない。
【理　由】
第１．手続の経緯
　本願は、平成２０年１２月２６日の出願であって、平成２２年１０月１４日付けで拒絶査定がなされ、これに対して平成２３年１月１８日に拒絶査定不服審判が請求され、同時に手続補正がなされたものである。そして、平成２４年６月１日付けで当審より拒絶理由が通知され、これに対して平成２４年８月６日付けで意見書が提出されるとともに、手続補正がなされたものである。
　　
　　
第２．本願発明
　本願の請求項１に係る発明（以下、「本願発明」という。）は、平成２４年８月６日付け手続補正書の特許請求の範囲の請求項１に記載された、次の事項により特定されるものである。
　　　　　　　　　　　　　　　　
「【請求項１】
　移動局が、Ｅ-ＵＴＲＡＮ方式の無線アクセスネットワーク内の無線基地局又はＵＴＲＡＮ方式の無線アクセスネットワーク内の無線回線制御局から下りリンクデータを受信する移動通信方法であって、
　ゲートウェイ装置が、前記無線基地局に前記下りリンクデータを送信する第１状態から、前記無線回線制御局に該下りリンクデータを送信する第２状態に切り替わった場合、
　前記無線基地局が、前記ゲートウェイ装置と該無線基地局との間のＧＴＰ-Ｕトンネルを介して受信した該下りリンクデータを、該無線基地局と該ゲートウェイ装置と間のＧＴＰ-Ｕトンネル、該ゲートウェイ装置とパケット交換機との間のＧＴＰ-Ｕトンネル及び該パケット交換機と前記無線回線制御局との間のＧＴＰ-Ｕトンネルを介して、前記無線回線制御局に転送する工程と、
　前記ゲートウェイ装置が、該ゲートウェイ装置と該無線基地局との間のＧＴＰ-Ｕトンネルを介して、前記第２状態に切り替わった場合に前記無線基地局に対して送信された当該移動局宛ての最後の下りリンクデータを送信した後に、前記最後の下りリンクデータを送信したことを示す「Ｅｎｄ　Ｍａｒｋｅｒメッセージ」を送信する工程と、
　前記無線基地局が、前記最後の下りリンクデータを転送した後に、該無線基地局と前記ゲートウェイ装置と間のＧＴＰ-Ｕトンネル、該ゲートウェイ装置と前記パケット交換機との間のＧＴＰ-Ｕトンネル及び該パケット交換機と前記無線回線制御局との間のＧＴＰ-Ｕトンネルを介して、該無線回線制御局に対して、前記「Ｅｎｄ　Ｍａｒｋｅｒメッセージ」を送信する工程と、
　前記無線回線制御局が、前記ゲートウェイ装置から送信された新規下りリンクデータよりも先に、前記無線基地局から転送された転送下りリンクデータを前記移動局に送信し、前記「Ｅｎｄ　Ｍａｒｋｅｒメッセージ」を受信した後に、該新規下りリンクデータを該移動局に送信することを特徴とする移動通信方法。」
　　　　　　
　　　　　　
第３．引用発明
　当審の拒絶理由通知に引用された刊行物１（General Packet Radio Service(GPRS) enhancements for Evolved Universal Terrestrial Radio Access Network(E-UTRAN) access(Release 8)、3GPP TS23.401 V8.2.0(2008-06)、フランス、2008.06.発行、102-113、インターネット＜URL：http//www.3gpp.org＞）には、図面とともに、以下の事項が記載されている。ただし、下線は当審が付加した。
　　　　　
（ａ）第１０２頁下から４行目
「5.5.2.1　　E-UTRAN to UTRAN Iu mode Inter RAT handover」　
（当審訳：5.5.2.1　
E-UTRANからUTRAN Iuモードヘのシステム間ハンドオーバ
　　　　　　　　　　　
（ｂ）第１０４頁下から３行目−第１０５頁２行目
「7. The target SGSN sends the message Forward Relocation Response (Cause, SGSN Tunnel Endpoint Identifier for Control Plane, SGSN Address for Control Plane, Target to Source Transparent Container, RANAP cause, RAB Setup Information, Additional RAB Setup Information, Address(es) and TEID(s) for User Traffic Data Forwarding, Serving GW change indication) to the source MME. Serving GW change indication indicates a new Serving GW has been selected.」
（当審訳：ターゲットＳＧＳＮは、転送リロケーション応答メッセージ（原因、コントロールプレーンのためのＳＧＳＮトンネル終端識別子、コントロールプレーンのためのＳＧＳＮアドレス、ソース・トランスペアレント・コンテナヘのターゲット、ＲＡＮＡＰ原因、ＲＡＢセットアップ情報、付加的なＲＡＢセットアップ情報、ユーザトラフィックデータ転送のためのアドレスとトンネル終端識別子ＴＥＩＤ、サービングＧＷ変更表示）をソースMMEへ送る。サービングＧＷ変更表示は、新しく選択されたサービングＧＷを示している。）
　　　　　
（ｃ）第１０４頁第３−１２行
「The IE 'Address(es) and TEID(s) for User Traffic Data Forwarding' defines the destination tunnelling endpoint for data forwarding in target system, and it is set as follows.
- If 'Direct Forwarding' is applicable, then the IE 'Address(es) and TEID(s) for User Traffic Data Forwarding' contains the DL GTP-U tunnel endpoint parameters to the Target RNC received in Step 5a.
- If 'Indirect Forwarding' is applicable when Direct Tunnel is used the IE 'Address(es) and TEID(s) for User Traffic Data Forwarding' contains the DL GTP-U tunnel endpoint parameters to the Target RNC (received in Step 5a) or the Target Serving GW for Serving GW re-location(received in Step 6a).
 - If 'Indirect Forwarding' is applicable when Direct Tunnel is not used the IE 'Address(es) and TEID(s) for User Traffic Data Forwarding'  contains the DL GTP-U tunnel endpoint parameters to the Target SGSN or the Target Serving GW in case of Serving-GW re-location (received in Step 6a).」
（当審訳：
情報エレメント「ユーザ・トラフィック・データ転送のためのアドレスとトンネル終端識別子ＴＥＩＤ」が、ターゲットシステムにおけるデータ転送のための目的地のトンネル終端を定義する。そして、それは以下のようになされる。
−　　もし「直接転送」が適用可能であれば、情報エレメント「ユーザ・トラフィック・データ転送のためのアドレスとトンネル終端識別子ＴＥＩＤ」は、ステップ５ａで受信されたターゲットＲＮＣへのＤＬ　ＧＴＰ−Ｕトンネルの終端パラメータを含んでいる。
−　　直接トンネルが使用されており、もし「非直接転送」が適用可能であれば、情報エレメント「ユーザ・トラフィック・データ転送のためのアドレスとトンネル終端識別子ＴＥＩＤ」は、（ステップ５ａで受信された）ターゲットＲＮＣ、または（ステップ６ａで受信された）サービングＧＷ・リロケーションのためのターゲット・サービングＧＷへのＤＬ　ＧＴＰ−Ｕトンネルの終端パラメータを含んでいる。
−　　
直接トンネルが使用されておらず、もし「非直接転送」が適用可能であれば、情報エレメント「ユーザ・トラフィック・データ転送のためのアドレスとトンネル終端識別子ＴＥＩＤ」は、ターゲットＳＧＳＮ、または（ステップ６ａで受信された）サービングＧＷ・リロケーションの場合のターゲット・サービングＧＷへのＤＬ　ＧＴＰ−Ｕトンネルの終端パラメータを含んでいる。
　　　　　
（ｄ）第１０６頁の図5.5.2.1.3-1において、ＰＤＮ　ＧＷから
Serving　ＧＷへ伸び、更にSource　eNodeBに達する点線の矢印
ダウンリンク・ユーザ・プレーンの複数のデータユニットＰＤＵ
　　　　
（e）第１０６頁の図5.5.2.1.3-1において、Source　eNodeBからTarget　ＲＮＣへの点線の矢印の右側に、「Only if Direct Forwarding is applicable」（当審訳：直接転送が適用できる時のみ）と記載されている。
　　　　
（ｆ）第１０６頁の図5.5.2.1.3-1において、
Source　eNodeBからServing　ＧＷへ伸び、更にTarget　Serving　ＧＷに達する点線の矢印
「Only if indirect Forwarding is applicable. For“indirect　Forwarding”, Serving GW Forwarding and Serving GW relocation the PDUs will be forwarded by the source Serving GW to target Serving GW and then to Target RNC when Direct Tunnel is used, Target SGSN when Direct Tunnel is not used.」
（当審訳：
非直接転送が適用できる時のみ。非直接転送に対しては、複数のデータユニットＰＤＵは、ソース・サービングＧＷによって、ターゲット・サービングＧＷへ転送され、
直接トンネルが使用されない時には、ターゲットＳＧＳＮへ転送される。
　　　　　　　　
（ｇ）第１０６頁の図5.5.2.1.3-1において、
Target　Serving　ＧＷからTarget　ＲＮＣへの点線の矢印
直接トンネルが使用されていないケースでは、ターゲットＳＧＳＮ経由
　　　　　
　したがって、刊行物１には次の発明（以下、「引用発明」という。）が記載されていると認められる。
　　　
「E-UTRANからUTRAN Iuモードヘのシステム間ハンドオーバの方法であって、
　ダウンリンク・ユーザ・プレーンの複数のデータユニットＰＤＵが、サービングＧＷから、ソースｅＮｏｄｅＢへ送信され、
　非直接転送に対しては、複数のデータユニットＰＤＵは、ソースｅＮｏｄｅＢからソース・サービングＧＷへ転送され、ソース・サービングＧＷによって、ターゲット・サービングＧＷへ転送され、そして直接トンネルが使用されない時には、ターゲットＳＧＳＮへ転送され、その後ターゲットＲＮＣへ転送され、
　直接トンネルが使用されておらず、もし「非直接転送」が適用可能であれば、情報エレメント「ユーザ・トラフィック・データ転送のためのアドレスとトンネル終端識別子ＴＥＩＤ」は、ターゲットＳＧＳＮ、またはサービングＧＷ・リロケーションの場合のターゲット・サービングＧＷへのＤＬ　ＧＴＰ−Ｕトンネルの終端パラメータを含んでいる、
　システム間ハンドオーバの方法。」　
　　　　　
　　　　　
第４．本願発明と引用発明の一致点・相違点
　
　引用発明のソースｅＮｏｄｅＢ、ターゲットＲＮＣが、各々、本願発明の「Ｅ-ＵＴＲＡＮ方式の無線アクセスネットワーク内の無線基地局」、「ＵＴＲＡＮ方式の無線アクセスネットワーク内の無線回線制御局」に相当する。
　引用発明のダウンリンク・ユーザ・プレーンの複数のデータユニットＰＤＵが、下りリンクデータであることは、明らかである。
　引用発明において、移動局は、ダウンリンク・ユーザ・プレーンの複数のデータユニットＰＤＵを、システム間ハンドオーバ前は、E-UTRANのソースｅＮｏｄｅＢから受信し、システム間ハンドオーバ後は、UTRANのターゲットＲＮＣから受信することは明らかであるから、本願発明と引用発明とは、「移動局が、Ｅ-ＵＴＲＡＮ方式の無線アクセスネットワーク内の無線基地局又はＵＴＲＡＮ方式の無線アクセスネットワーク内の無線回線制御局から下りリンクデータを受信する移動通信方法」である点で一致している。
　　　　　　　　　 
　引用発明のサービングＧＷ及びターゲット・サービングＧＷが、本願発明の「ゲートウェイ装置」に相当する。
　引用発明の「E-UTRANからUTRAN Iuモードへのシステム間ハンドオーバ」は、本願発明の「前記無線基地局に前記下りリンクデータを送信する第１状態から、前記無線回線制御局に該下りリンクデータを送信する第２状態に切り替わった場合」に相当する。
　　　　　
　引用発明のターゲットＳＧＳＮが、本願発明の「パケット交換機」に相当する。
　　　　　　　
　引用発明では、ダウンリンク・ユーザ・プレーンの複数のデータユニットＰＤＵが、サービングＧＷから、ソースｅＮｏｄｅＢへ送信され、非直接転送に対しては、複数のデータユニットＰＤＵは、ソースｅＮｏｄｅＢからソース・サービングＧＷへ転送され、ソース・サービングＧＷによって、ターゲット・サービングＧＷへ転送され、そして直接トンネルが使用されない時には、ターゲットＳＧＳＮへ転送され、その後ターゲットＲＮＣへ転送される。そして、直接トンネルが使用されておらず、もし「非直接転送」が適用可能であれば、情報エレメント「ユーザ・トラフィック・データ転送のためのアドレスとトンネル終端識別子ＴＥＩＤ」は、ターゲットＳＧＳＮ、またはサービングＧＷ・リロケーションの場合のターゲット・サービングＧＷへのＤＬ　ＧＴＰ−Ｕトンネルの終端パラメータを含んでいる。
　したがって、引用発明においては、ソースｅＮｏｄｅＢがＧＴＰ−Ｕトンネルを介してサービングＧＷから受信したダウンリンクの複数のデータユニットＰＤＵが、ＧＴＰ−Ｕトンネルを介して、ソースｅＮｏｄｅＢ→ソース・サービングＧＷ→ターゲット・サービングＧＷ→ターゲットＳＧＳＮ→ターゲットＲＮＣと転送されている。
　よって、本願発明と引用発明とは、「前記無線基地局が、前記ゲートウェイ装置と該無線基地局との間のＧＴＰ-Ｕトンネルを介して受信した該下りリンクデータを、該無線基地局と該ゲートウェイ装置と間のＧＴＰ-Ｕトンネル、該ゲートウェイ装置とパケット交換機との間のＧＴＰ-Ｕトンネル及び該パケット交換機と前記無線回線制御局との間のＧＴＰ-Ｕトンネルを介して、前記無線回線制御局に転送する工程」を有する点で一致している。　　　　　　　
　　　　　　
　したがって、本願発明と引用発明の一致点・相違点は、次のとおりである。
　　　　　　
［一致点］
「移動局が、Ｅ-ＵＴＲＡＮ方式の無線アクセスネットワーク内の無線基地局又はＵＴＲＡＮ方式の無線アクセスネットワーク内の無線回線制御局から下りリンクデータを受信する移動通信方法であって、
　ゲートウェイ装置が、前記無線基地局に前記下りリンクデータを送信する第１状態から、前記無線回線制御局に該下りリンクデータを送信する第２状態に切り替わった場合、
　前記無線基地局が、前記ゲートウェイ装置と該無線基地局との間のＧＴＰ-Ｕトンネルを介して受信した該下りリンクデータを、該無線基地局と該ゲートウェイ装置と間のＧＴＰ-Ｕトンネル、該ゲートウェイ装置とパケット交換機との間のＧＴＰ-Ｕトンネル及び該パケット交換機と前記無線回線制御局との間のＧＴＰ-Ｕトンネルを介して、前記無線回線制御局に転送する工程を、　
　有することを特徴とする移動通信方法。」である点。
　　　　　　　
［相違点１］
　本願発明が、「前記ゲートウェイ装置が、該ゲートウェイ装置と該無線基地局との間のＧＴＰ-Ｕトンネルを介して、前記第２状態に切り替わった場合に前記無線基地局に対して送信された当該移動局宛ての最後の下りリンクデータを送信した後に、前記最後の下りリンクデータを送信したことを示す「Ｅｎｄ　Ｍａｒｋｅｒメッセージ」を送信する工程」を有するのに対して、引用発明は、かかる工程を有していない点。
　　　　
［相違点２］
　本願発明は、「前記無線基地局が、前記最後の下りリンクデータを転送した後に、該無線基地局と前記ゲートウェイ装置と間のＧＴＰ-Ｕトンネル、該ゲートウェイ装置と前記パケット交換機との間のＧＴＰ-Ｕトンネル及び該パケット交換機と前記無線回線制御局との間のＧＴＰ-Ｕトンネルを介して、該無線回線制御局に対して、前記「Ｅｎｄ　Ｍａｒｋｅｒメッセージ」を送信する工程」を有するのに対して、引用発明は、かかる工程を有していない点。
　　　　　
［相違点３］
　本願発明が「前記無線回線制御局が、前記ゲートウェイ装置から送信された新規下りリンクデータよりも先に、前記無線基地局から転送された転送下りリンクデータを前記移動局に送信し、前記「Ｅｎｄ　Ｍａｒｋｅｒメッセージ」を受信した後に、該新規下りリンクデータを該移動局に送信する」に対して、引用発明は、かかる構成を有していない点。
　　　　　
　　　
第５．相違点についての検討
　　　　
［相違点１−３について］
　当審の拒絶理由通知に引用された刊行物２（特表２００１−５００６７５号公報）には、図面とともに、以下の事項が記載されている。ただし、下線は当審が付加した。
　　　
（ｈ）第１２頁第２８行−第１３頁第１５行
「図２ｃでは、交換機５は、新アクセスポイントを選んだ後、旧アクセスポイント２を介して移動端末１に、特に、新アクセスポイントに関する情報を含んでいるHO＿RESP0NSEメッセージを送出する。同時に、交換機５はダウンリンク・セルの経路指定を新アクセスポイント３へ向けて変更する。
旧アクセスポイントを介してダウンリンクに送信された最後のセルの後に、交換機はDown＿ready信号ＤＲを付け加える
旧アクセスポイント２が全てのダウンリンク・セルを移動端末１へ輸送し終わる前に旧アクセスポイント２と移動端末１との無線接続が終了することがあり得る。このことを考慮して、旧アクセスポイントが、必要なときに未送信セルを、後述する処理手順で新アクセスポイントへ輸送できるように、交換機５は、特に新アクセスポイントに関する情報を含むFORWARDメッセージをアクセスポイント２に送る。
　　　　　
（ｉ）第１６頁第６−１３行
「次に、
移動端末が旧アクセスポイントのサービス区域からあまりに急速にいなくなったために正式に接続を終了させる時間がない場合の、妨害により引き起こされる順方向ハンドオーバ
説明では図４ａから４ｈを参照するが、これらの図では上記の図２ａから２ｆの場合と同様の記号が使用されている。
　　　　　
（ｊ）第１７頁第１２−２０行
「交換機は、図４ｅのようにアップリンク・セルおよびダウンリンク・セルの両方の経路指定を同時に新アクセスポイント３にハンドオーバする。同時に
交換機は、
特に新アクセスポイントについての情報を含んでいるFORWARDメッセージを旧アクセスポイント２へ送出する。さらに、交換機５は、経路指定されたセルの後に、Down＿ready信号を旧アクセスポイント２へ送出し、
　　　　　　　
（ｋ）第１７頁第２１−２７行
「
FORWARDメッセージに応答して、旧アクセスポイント２は、最後のDown＿ready信号を有する全てのバッファリングされているダウンリンク・セルを新アクセスポイント３に送出する。新アクセスポイントは、旧アクセスポイントから回送されてきたセルが交換機５から直接到来したダウンリンク・セルと混同されないように、回送されてきたセルのための特定のレジスタFを含んでいなければならない。新アクセスポイント３が旧アクセスポイント２からDown＿ready信号を受け取ったときには、全てのセルが回送されている。
　　　　　
（ｌ）第１８頁第８−１２行
「以上説明したように、
新アクセスポイント３は、移動端末に向けてまずバッファFに含まれる回送されてきたセルを送信する。新アクセスポイントは、バッファに残っているのはDown＿ready信号だけであることを検出すると、図４ｈに例示されるように、交換機５から直接受信してバッファDに一時的に蓄積しておいたセルを送信し始めることができる。
　　　　　　
　したがって、刊行物２には、図４ａから４ｈに関し、次の発明（以下、「引用発明２」という。）が記載されていると認められる。
　　　　　　　　　　　
「移動端末が旧アクセスポイントのサービス区域からあまりに急速にいなくなったために正式に接続を終了させる時間がない場合の、妨害により引き起こされる順方向ハンドオーバ方法であって、
　交換機は、特に新アクセスポイントについての情報を含んでいるFORWARDメッセージを旧アクセスポイント２へ送出し、さらに、交換機５は、経路指定されたセルの後に、Down＿ready信号を旧アクセスポイント２へ送出し、
　旧アクセスポイント２は、FORWARDメッセージに応答して、最後のDown＿ready信号を有する全てのバッファリングされているダウンリンク・セルを新アクセスポイント３に送出し、
　新アクセスポイント３は、旧アクセスポイントから回送されてきたセルが交換機５から直接到来したダウンリンク・セルと混同されないように、回送されてきたセルのための特定のレジスタFを含んでいなければならず、
　新アクセスポイント３が旧アクセスポイント２からDown＿ready信号を受け取ったときには、全てのセルが回送されており、
　新アクセスポイント３は、移動端末に向けてまずバッファFに含まれる回送されてきたセルを送信し、新アクセスポイントは、バッファに残っているのはDown＿ready信号だけであることを検出すると、交換機５から直接受信してバッファDに一時的に蓄積しておいたセルを送信し始めることができる、
　順方向ハンドオーバ方法。」
  　　　　　　　　　　
　刊行物２の摘記事項（ｈ）に、「旧アクセスポイントを介してダウンリンクに送信された最後のセルの後に、交換機はDown＿ready信号ＤＲを付け加える」と記載されている。また、引用発明２において、交換機５は、経路指定されたセルの後に、Down＿ready信号を旧アクセスポイント２へ送出しているから、交換機５は、旧アクセスポイント２を経由する最後の下りのセルを送信した後に、旧アクセスポイント２に対して、Down＿ready信号を送出している。したがって、引用発明２のDown＿ready信号は、旧アクセスポイント２を経由する最後の下りのセルを送信したことを示している。
　　　
　刊行物２の摘記事項（ｈ）に、「旧アクセスポイント２が全てのダウンリンク・セルを移動端末１へ輸送し終わる前に旧アクセスポイント２と移動端末１との無線接続が終了することがあり得る。このことを考慮して、旧アクセスポイントが、必要なときに未送信セルを、後述する処理手順で新アクセスポイントへ輸送できるように、交換機５は、特に新アクセスポイントに関する情報を含むFORWARDメッセージをアクセスポイント２に送る。」と記載されている。
　この記載において、「旧アクセスポイントが、必要なときに未送信セルを、後述する処理手順で新アクセスポイントへ輸送できるように、」と明記されているのは、「新アクセスポイントに関する情報を含むFORWARDメッセージ」についてである。しかし、もしDown＿ready信号ＤＲが付け加えられなければ、旧アクセスポイントは、どれだけのセルを新アクセスポイントへ輸送すれば、新アクセスポイントへのセルの輸送を終了させて良いのか分からないから、Down＿ready信号ＤＲも、「旧アクセスポイントが、必要なときに未送信セルを、後述する処理手順で新アクセスポイントへ輸送できるように」するという目的のために付け加えられたものであると理解することができる。 
 　　　　　　　　　　　　　 
　この旧アクセスポイントが、必要なときに未送信セルを、新アクセスポイントへ輸送することには、まさに、引用発明において、ソースｅＮｏｄｅＢが受信した複数のデータユニットＰＤＵを、ソースｅＮｏｄｅＢからサービングＧＷへ転送し、更に、ターゲット・サービングＧＷから、ターゲットＳＧＳＮ経由でターゲットＲＮＣへ転送することが合致するから、引用発明において、サービングＧＷが、ソースｅＮｏｄｅＢへ送信する最後のデータユニットＰＤＵの後に、Down＿ready信号ＤＲを付け加えるようにすることは、容易に想到できたことである。そして、引用発明２において、Down＿ready信号ＤＲは、セルと同様に新アクセスポイントへ回送されるから、引用発明においても、Down＿ready信号ＤＲは、サービングＧＷへ転送され、更に、ターゲット・サービングＧＷから、ターゲットＳＧＳＮ経由でターゲットＲＮＣへ転送されることになる。 
　このようにしてソースｅＮｏｄｅＢへ送信する最後のデータユニットＰＤＵの後に付け加えられるDown＿ready信号ＤＲが、本願発明の「Ｅｎｄ　Ｍａｋｅｒメッセージ」に相当することになる。 
　以上のことは、引用発明において、相違点１，２に係る本願発明の構成を採用することが当業者にとって容易であったことを意味している。
　　　　　　　　　　　　　　　　　　
　引用発明２では、新アクセスポイントは、バッファに残っているのはDown＿ready信号だけであることを検出すると、交換機５から直接受信してバッファDに一時的に蓄積しておいたセルを送信し始めるから、上記のように、引用発明２を引用発明に適用したものにおいては、ターゲットＲＮＣは、ソースｅＮｏｄｅＢを経由していないデータユニットＰＤＵよりも先に、ソースｅＮｏｄｅＢから転送されたデータユニットＰＤＵを移動局に送信することになる。（相違点３が解消していることの説明）
　引用発明２では、新アクセスポイントは、バッファに残っているのはDown＿ready信号だけであることを検出すると、交換機５から直接受信してバッファDに一時的に蓄積しておいたセルを送信し始めるから、交換機５から直接受信してバッファDに一時的に蓄積しておいたセルを送信し始めるのは、新アクセスポイントがDown＿ready信号を受信した後である。したがって、上記のように、引用発明２を引用発明に適用したものにおいては、ターゲットＲＮＣが、Down＿ready信号を受信した後に、ソースｅＮｏｄｅＢを経由していないデータユニットＰＤＵを移動局に送信することになる。（相違点３が解消していることの説明）
　　　　　　　　
　　　　　　　　　
　そして、本願発明の作用効果も、引用発明及び引用発明２から当業者が予測できる範囲のものである。
　したがって、本願発明は、引用発明及び引用発明２に基づいて、当業者が容易に発明をすることができたものである。
　　　　　
　　　　　
第６．むすび
　以上のとおり、本願の請求項１に係る発明は、刊行物１，２に記載された発明に基づいて、当業者が容易に発明をすることができたものであるから、特許法第２９条第２項の規定により特許を受けることができない。
　したがって、本願のその余の請求項に係る発明について検討するまでもなく、本願は拒絶されるべきものである。
　よって、結論のとおり審決する。